(57)【特許請求の範囲】
【請求項１】
投入玄米を受けるための投入ホッパ（２）を備えてこの投入ホッパ（２）から取扱い単位となる所定量の投入玄米を取込んで精白処理する精米装置（Ａ）と、この精米装置（Ａ）の稼動を投入玄米の残留範囲で制御する制御部（Ｂ）と、この精米装置（Ａ）の稼動の条件としての所定の課金額を決済する決済手段（Ｄ）とからなる自動精米システムにおいて、
上記決済手段（Ｄ）は、近接型非接触ＩＣチップを組込んだ携帯電話を含む近接型非接触ＩＣチップ担体（Ｋ）を安定保持しつつ、その近接型非接触ＩＣチップとの近接非接触通信により課金額の決済を行うトレイ状の非接触入出力部（７）と、釣銭払出し機能を付帯して現金決済するための現金決済部（Ｄ１）と、前記ＩＣチップ担体（Ｋ）の課金額の電子決済をする電子マネー決済部（Ｄ２）を備え、
精米装置（Ａ）が機器異常により稼動停止した時に、電子マネー決済部（Ｄ２）で決済された課金額を現金決済部（Ｄ１）により現金で払出す制御処理を行うことを特徴とする自動精米システム。
【請求項２】
前記制御部（Ｂ）が、前記近接型非接触ＩＣチップ担体（Ｋ）をトレイ状の非接触入出力部（７）に載置して電子マネー決済部（Ｄ２）による課金の引き落としによる精米運転中に、非接触入出力部（７）が近接型非接触ＩＣチップ担体（Ｋ）の取外しを検出した場合、新たに現金を投入すると、それ以降の課金の引落を電子マネー決済部（Ｄ２）から現金決済部（Ｄ１）に切替えて精米運転を継続し、前記現金決済部（Ｄ１）での精米運転中に近接型非接触ＩＣチップ担体（Ｋ）をトレイ状の非接触入出力部（７）に載置したことを検出すると、それ以降の課金の引落を現金決済部（Ｄ１）から電子マネー決済部（Ｄ２）に切替えて精米運転を継続する制御処理を行うことを特徴とする請求項１記載の自動精米システム。
【発明の詳細な説明】
【技術分野】
【０００１】
本発明は、利用者持参の玄米について所定額単位の前課金による決済方式で全自動精米処理する自動精米システムに関するものである。
【背景技術】
【０００２】
特許文献１に示されるように、投入玄米を受けるための投入ホッパと、この投入ホッパ内の投入玄米から取扱い単位となる所定量の玄米を取込んで搗精する精米機等を備えるとともに、対応する一定金額を現金投入部からの引落しによって玄米を全自動精米処理する自動精米システムが知られている。
【０００３】
この自動精米システムは、利用者持参の玄米を投入ホッパに投入し、相当料金分の現金を料金口に投入し、精米設定することにより、前課金のための所定金額の引落しとともに、取込み移送機構によって投入ホッパから所定量の玄米を取込んで取扱い単位となる１単位分の単位精米処理を自動で行い、この単位精米処理による定額課金と投入ホッパからの定量取込みを繰り返すことにより、投入玄米が精米されて払出し用の白米タンクから受取ることができ、また、料金口に投入されたままで課金引落し前の余剰現金は、返却口から戻される。
【０００４】
この場合において、投入金額が不足した場合にあっては、現金の追加投入を待って単位精米処理が開始される。また、現金の投入に代えて、磁気記録カードやＩＣカードによる電子決済を適用することにより、課金の都度の引落しによる自動精米システムの利用が可能となる。同様に、携帯電話を含む近接型非接触ＩＣカードの適用により、現金投入に伴う煩わしい取扱いやカード使用の際の特有の操作を要することなく、ＩＣカード等を決済装置の非接触入出力部にかざすだけの簡単な操作で自動精米システムを利用することができる。
【先行技術文献】
【特許文献】
【０００５】
【特許文献１】特開２００９−９３７０号公報
【発明の概要】
【発明が解決しようとする課題】
【０００６】
しかしながら、携帯電話を含む近接型非接触ＩＣカードの場合は、投入全量の玄米が精米されるまでの間について、単位精米処理の都度、前課金のための所定金額の引落しのために、非接触入出力部にＩＣカード等をかざす操作が必要となり、煩わしさに耐えないという問題が避けられず、その他、機器のトラブルによって精米処理が中断した場合の電子決済による前課金分の料金精算という問題が残されていた。
【０００７】
本発明の目的は、所定量の投入玄米を取扱い単位として前課金による決済方式で全自動精米処理する自動精米システムにおいて、非接触入出力部に随時ＩＣカード等をかざすような煩わしい操作を要することなく、携帯電話を含む近接型非接触ＩＣカードによって簡易に利用することができる自動精米システムを提供することにある。
【課題を解決するための手段】
【０００８】
請求項１に係る発明は、投入玄米を受けるための投入ホッパを備えてこの投入ホッパから取扱い単位となる所定量の投入玄米を取込んで精白処理する精米装置と、この精米装置の稼動を投入玄米の残留範囲で制御する制御部と、この精米装置の稼動の条件としての所定の課金額を決済する決済手段とからなる自動精米システムにおいて、上記決済手段は、近接型非接触ＩＣチップを組込んだ携帯電話を含む近接型非接触ＩＣチップ担体を安定保持しつつ、その近接型非接触ＩＣチップとの近接非接触通信により課金額の決済を行うトレイ状の非接触入出力部と、釣銭払出し機能を付帯して現金決済するための現金決済部と、前記ＩＣチップ担体の課金額の電子決済をする電子マネー決済部を備え、精米装置が機器異常により稼動停止した時に、電子マネー決済部で決済された課金額を現金決済部により現金で払出す制御処理を行うことを特徴とする。
【０００９】
上記自動精米システムは、投入ホッパに玄米を投入すると、決済手段による所定金額の課金決済を条件として精米装置が取扱い単位の玄米を投入ホッパから取込んで精白し、この時、決済手段のトレイ状の非接触入出力部に携帯電話を含む近接型非接触ＩＣチップ担体を載置することにより、同ＩＣチップ担体が安定保持されることから、近接非接触通信によって課金額の随時決済が可能となる。
【００１０】
請求項２に係る発明は、請求項１の構成において、前記制御部が、前記近接型非接触ＩＣチップ担体をトレイ状の非接触入出力部に載置して電子マネー決済部による課金の引き落としによる精米運転中に、非接触入出力部が近接型非接触ＩＣチップ担体の取外しを検出した場合、新たに現金を投入すると、それ以降の課金の引落を電子マネー決済部から現金決済部に切替えて精米運転を継続し、前記現金決済部での精米運転中に近接型非接触ＩＣチップ担体をトレイ状の非接触入出力部に載置したことを検出すると、それ以降の課金の引落を現金決済部から電子マネー決済部に切替えて精米運転を継続する制御処理を行うことを特徴とする。
【発明の効果】
【００１１】
請求項１の発明の自動精米システムは、投入ホッパに玄米を投入すると、決済手段による所定金額の課金決済を条件として精米装置が取扱い単位の玄米を投入ホッパから取込んで精白し、この時、決済手段のトレイ状の非接触入出力部に携帯電話を含む近接型非接触ＩＣチップ担体を載置することにより、同ＩＣチップ担体が安定保持されることから、近接非接触通信によって課金額の随時決済が可能となるので、精米装置が投入玄米の残留範囲で繰返し稼動することにより、課金の都度、近接型非接触ＩＣチップ担体を非接触入出力部にかざすという煩わしい操作を要することなく、トレイ状の非接触入出力部に載置する操作だけで簡易に最後まで精米を継続することができる。
また、精米装置のトラブルによって精米が未完のまま終了した場合に、電子マネー決済部による前課金によって既に電子決済された場合であっても現金決済部から現金で返却されることから、前課金によって電子決済される全自動システムにおける料金返却の問題を解決することができる。
【００１２】
請求項２に係る発明の自動精米システムは、請求項１の効果に加え、精米運転中に携帯電話を含む近接型非接触ＩＣチップ担体をトレイ状の非接触入出力部から取出した場合にコインの追加投入によって運転が継続され、携帯電話を含む近接型非接触ＩＣチップ担体をトレイ状の非接触入出力部に戻すと、電子マネー決済部による精米運転を継続できるので、精米運転中に一時的に携帯電話を使用することが可能になる。
【図面の簡単な説明】
【００１３】
【図１】自動精米システムの一構成例のシステム構成図
【図２】精米装置の精米処理系統展開線図
【図３】客室部の操作パネル見取図
【図４】現金決済部の斜視図
【図５】自動精米システムの制御フローチャート
【図６】携帯電話決済の中断対応処理の制御フローチャート
【図７】返却金額の精算処理の制御フローチャート
【発明を実施するための形態】
【００１４】
上記技術思想に基づいて具体的に構成された実施の形態について以下に図面を参照しつつ説明する。
自動精米システム１は、その一構成例のシステム構成図を図１に示すように、投入玄米を受けて精白するまでの機器１式からなる精米装置Ａと、精米装置Ａの各機器を条件に応じて連係制御する制御装置Ｂと、精米装置Ａの運転条件を設定するための運転条件設定部Ｃと、精米料金を処理するための課金決済装置Ｄとから構成される。
【００１５】
詳細に説明すると、精米装置Ａは、図２の精米処理系統展開線図に示すように、投入された玄米を受けて所定量の繰出しをする投入ホッパ２、玄米中の石等の異物を除去選別する石抜機３、玄米を精白する精米機４、精白米の払い出し用の白米タンク５、それぞれの間を接続する昇降機６等により、玄米を精白するように構成する。投入ホッパ２には、投入規制用の扉２ａと、投入ホッパ２内の玄米の有無を検出する玄米有無検出センサー２ｂと、投入ホッパ２内の玄米を繰出すロータリバルブ２ｃを備える。
【００１６】
制御装置Ｂは、利用条件、機器条件等の各種の条件に応じて投入玄米を精白するべく、自動精米システム１の各機器の稼動制御機能を備え、特に、後述のように、携帯電話による電子決済に適合する制御機能を設けて構成する。運転条件設定部Ｃは、図３の客室部の操作パネル見取図に示すように、利用条件を設定するためのスイッチボタン、例えば、精白度を指定する「上白」、「標準」、「８ぶ」のスイッチボタン群等からなり、制御装置Ｂにより条件に沿って精米装置Ａが制御される。
【００１７】
課金決済装置Ｄは、図３、図４に示すように、コイン投入口１１ａ、コイン判別収納部１１に釣銭払出部１２を備えた現金決済部Ｄ１のほかに、磁気記録カード、ＩＣカード等の電子マネー決済部Ｄ２を備えて構成され、制御装置Ｂにより精米量に応じた利用料金を多様な形態で引落しを行う。特に、電子マネー決済部Ｄ２は、携帯電話やＩＣカード等の近接型非接触ＩＣチップを組み込んだ近接型非接触ＩＣチップ担体Ｋについて安定保持しつつ課金額の電子決済を行うために、その近接型非接触ＩＣチップと近接型非接触通信によってメモリデータの入出力を行うトレイ状の非接触入出力部７を設けて構成する。
【００１８】
次に、上記構成の自動精米システム１について、制御装置Ｂの制御機能に基づく各機器の具体的な連係動作について説明する。
図５は、携帯電話によって電子決済する場合の自動精米システム１の制御フローチャートである。
まず、利用者の入室に応じて音声ガイダンスを行うステップ１（以下において「Ｓ１」の如く略記する。）の制御処理により「携帯電話をトレイに載せるかコインを投入してください」等の音声案内をし、続いて、携帯電話Ｋがトレイ状の非接触入出力部７に載せられると初期料金（最初の１単価分）の引落しと投入ホッパ２の扉２ａの開動を行い（Ｓ２〜Ｓ４）、この投入ホッパ２に玄米等の持参穀物が投入され、かつ、精白度の設定が行われると精米運転が開始（Ｓ５〜Ｓ７）されることにより、１単価分の穀物が投入ホッパ２から取込まれて石抜機３で石抜処理され、次いで、精米機４によって精白され、白米タンク５に貯留される。この精白穀物は、利用者が操作することにより取出口５ａから取出すことができる
【００１９】
１単価分の穀物について所定時間の運転が行われると、引落し不可能な場合を除いて携帯電話Ｋから次の１単価分の引落しが行われ、これが投入ホッパ２の玄米有無検出センサー２ｂが穀粒無しを検出するまで非接触入出力部７の携帯電話Ｋからの引落しが繰り返えして行われ（Ｓ８〜Ｓ１１）る。玄米有無検出センサー２ｂが穀粒無しを検出すると終了動作処理（Ｓ１２，Ｓ１３）の工程に入る。終了動作処理ではまずロータリバルブ２ｃが停止し、次いで、昇降機６や石抜機３や精米機４内の残留穀粒の精米処理を行なう。設定時間終了動作処理を行なうと運転停止となる。
【００２０】
このように、上記自動精米システムは、投入ホッパ２に玄米を投入すると、決済手段による所定金額の課金決済を条件として精米装置が取扱い単位の玄米を投入ホッパ２から取込んで精白し、この時、決済手段は、そのトレイ状の非接触入出力部７に携帯電話を含む近接型非接触ＩＣチップ担体Ｋを載置することにより、同ＩＣチップ担体Ｋを安定保持しつつ近接非接触通信によって課金の決済を行うことから、制御部Ｂが投入玄米の残留範囲で精米装置を繰返し稼動する。したがって、近接型非接触ＩＣチップ担体を非接触入出力部にかざす操作を要することなく、精米が継続される。
【００２１】
また、精米運転の途中において非接触入出力部７から携帯電話を取外した場合については、図６の携帯電話決済の中断対応処理の制御フローチャートに示すように、課金決済装置Ｄの非接触入出力部７による携帯電話の取外しの検出（Ｓ２１）に応じて現金決済部Ｄ１に制御を移し、コインの未投入の場合を除いて精米運転を継続（Ｓ２２，Ｓ２３）する制御処理を設けることにより、課金決済装置Ｄから携帯電話を途中で取出して使用する場合に対応することができる。
【００２２】
また、精米運転の途中において何らかの機器トラブルによる異常停止の場合については、図７の返却金額の精算処理の制御フローチャートに示すように、機器の異常停止の検出（Ｓ３１）によって、運転がコイン投入による場合は現金決済部Ｄ１の返却制御によって投入現金を釣銭払出部１２より返却（Ｓ３２，Ｓ３２ａ）し、携帯電話Ｋによる場合は釣銭制御により計算した返却額を現金による釣銭として釣銭払出部１２より返却（Ｓ３３〜Ｓ３５）する制御処理を構成することにより、電子マネー課金後の返金精算の問題を解決することができる。
【００２３】
また、コイン投入の後においても玄米投入が確認されなかった場合は、人検知手段による検出がなくなった時に不審者エラー信号を出力し、この不審者エラー信号によってビデオカメラ情報を含む非常通報を行う警備警報システムを作動する制御処理を設ける。不審者エラー信号は、コントローラの入出力端子等の特定部位のデジタル信号がオンまたはオフに変化すること、または、ソフト上の仮想信号が状態変化することを含む。
【００２４】
例えば、自動精米システムが待機中において、投入ホッパ２の扉２ａの開閉操作による扉開閉信号を検知した場合に不審者エラー信号を発するように構成する。このような異常変化に基づいて警備警報システムを作動することにより、扉２ａ用の堅固なロック機構による高コストの装備を要することなく、不審者による事件の早期解決につなげることができるとともに、不審者による異常行動に対して食の安全を確保することができる。
【００２５】
また、液晶タッチパネルによる操作部を備えるとともに、その画面保護用の透明窓を設けたものにあっては、管理者がメンテ画面に触れるためには透明窓を外す必要があることから、通常待機中画面にメンテナンス情報としてメンテナンス時期に達した部品を番号一覧表やランプで表示するように構成する。例えば、精米機の清掃時期が来た場合は、対応するランプを点灯表示する。このランプ表示については、利用客から見て違和感を与えない程度で、かつ、システム管理者に分かり易く構成する。
【００２６】
このようなメンテナンス情報を通常待機中画面内に表示することにより、透明窓を外すという煩わしい操作を要することなく、メンテナンス箇所を容易に認識でき、迅速にメンテナンス作業に取り掛かることができることから、多数のシステムについてそれぞれの管理に必要なメンテナンスや集金の作業の効率化が可能となる。
【符号の説明】
【００２７】
１  自動精米システム
２  投入ホッパ
２ａ  扉
２ｂ  センサー
３  石抜機
４  精米機
７  非接触入出力部
１１  コイン判別収納部
１２  釣銭払出部
Ａ  精米装置
Ｂ  制御装置
Ｃ  運転条件設定部
Ｄ  課金決済装置
Ｄ１  現金決済部
Ｄ２  電子マネー決済部
Ｋ  近接型非接触ＩＣチップ担体
【図１】
0005560656.tif 000002
【図２】
0005560656.tif 000003
【図３】
0005560656.tif 000004
【図４】
0005560656.tif 000005
【図５】
0005560656.tif 000006
【図６】
0005560656.tif 000007
【図７】
0005560656.tif 000008